(57)【要約】【課題】  本発明の課題は、携帯型のガス圧測定器を必要に応じて随時洗浄でき且つ洗浄のばらつきを抑えることができる洗浄装置を提供することである。【解決手段】  本発明の洗浄装置１は、洗浄液を蓄えた洗浄タンク５と、洗浄タンク５から洗浄液を搬送する供給管７と、洗浄を終えた洗浄液を洗浄タンク５内に戻す排出管９と、ポンプ１１と、移動可能な台車２とを備え、携帯型のガス圧測定器３に供給管７及び排出管９を接続し、ポンプ１１で洗浄液をガス圧測定器３に循環させてガス圧測定器３の洗浄を行なう洗浄装置１であって、洗浄タンク５、ポンプ１１、供給管７及び排出管９は台車２の上にまとめて設けている。【選択図】      図１
2006007051.tif 000002
【特許請求の範囲】
【請求項１】
洗浄液を蓄えた洗浄タンクと、洗浄タンクから洗浄液を搬送する供給管と、洗浄を終えた洗浄液を洗浄タンク内に戻す排出管と、ポンプと、移動可能な台車とを備え、携帯型のガス圧測定器に供給管及び排出管を接続し、ポンプで洗浄液をガス圧測定器に循環させてガス圧測定器の洗浄を行なう洗浄装置であって、洗浄タンク、ポンプ、供給管及び排出管は台車の上にまとめて設けてあることを特徴とする洗浄装置。
【請求項２】
ポンプの駆動時間を設定するタイマ装置を備えたことを特徴とする請求項１に記載の洗浄装置。
【請求項３】
供給管には分岐管を設けてあり、供給管を通じて水をガス圧測定器に供給可能としていることを特徴とする請求項２に記載の洗浄装置。
【発明の詳細な説明】
【技術分野】
【０００１】
本発明は、携帯型のガス圧測定器の洗浄を行う洗浄装置に関する。
【背景技術】
【０００２】
特許文献１には、洗浄液を蓄えた洗浄タンクと、測定器に向けて洗浄液を供給する供給管と、洗浄の終えた洗浄液を洗浄タンクに戻す排出管と、ポンプとを備え、洗浄液を測定器に循環させることで測定器を洗浄する洗浄装置が開示されている。
【０００３】
一方、特許文献２には、携帯型のガス圧測定器において、注射器やスポイドを用いてガス圧測定器を洗浄する技術が開示されている。
【０００４】
【特許文献１】特開平１０−１８６３４２号公報
【特許文献２】特開平１０−２０２２０７号公報
【発明の開示】
【発明が解決しようとする課題】
【０００５】
しかし、特許文献１に記載の従来技術は、洗浄タンク、ポンプ、供給管及び排出管を測定器に一体に設けているため、携帯型の測定器には適用できないという問題がある。
【０００６】
一方、特許文献２に記載の従来技術は、携帯型のガス圧測定器を注射器等で洗浄する場合は、人手によって行うので、人により洗浄の度合いにばらつきが生じるという問題がある。
【０００７】
本発明は、携帯型のガス圧測定器を必要に応じて随時洗浄でき且つ洗浄のばらつきを抑えることができる洗浄装置を提供することを目的とする。
【課題を解決するための手段】
【０００８】
前記課題を解決するために、請求項１に記載された発明は、洗浄液を蓄えた洗浄タンクと、洗浄タンクから洗浄液を搬送する供給管と、洗浄を終えた洗浄液を洗浄タンク内に戻す排出管と、ポンプと、移動可能な台車とを備え、携帯型のガス圧測定器に供給管及び排出管を接続し、ポンプで洗浄液をガス圧測定器に循環させてガス圧測定器の洗浄を行なう洗浄装置であって、洗浄タンク、ポンプ、供給管及び排出管は台車の上にまとめて設けてあることを特徴とする。
【０００９】
請求項２に記載された発明は、請求項１に記載の発明において、ポンプの駆動時間を設定するタイマ装置を備えたことを特徴とする。
【００１０】
請求項３に記載された発明は、請求項２に記載の発明において、供給管には分岐管を設けてあり、供給管を通じて水をガス圧測定器に供給可能としていることを特徴とする。
【発明の効果】
【００１１】
請求項１に記載の発明によれば、ガス圧測定器を洗浄する場合には、台車にガス圧測定器を載せ、ガス圧測定器に供給管及び排出管の一端を接続する。ポンプを駆動させると、洗浄タンク内の洗浄液は供給管を通ってガス圧測定器内に流れ込み、排出管を通って洗浄タンクに戻される。洗浄タンクに戻った洗浄液は、再び供給管、ガス圧測定器に送られる。このように、洗浄液が循環することで、ガス圧測定器の洗浄が行なわれる。
【００１２】
洗浄タンク、循環ポンプ、供給管及び排出管は台車の上にまとまて設けてあるので、任意の場所に台車を移動することができ、携帯型のガス圧測定器を必要に応じて随時洗浄できる。
【００１３】
また、ガス圧測定器の洗浄を自動的に行なうので、個人差による洗浄のばらつきを抑えることができる。
【００１４】
請求項２に記載された発明によれば、請求項１に記載された発明と同様の効果が得られるとともに、任意に洗浄時間を設定できるので、汚れに応じて洗浄時間を設定することで、ガス圧測定器の汚れを確実に落とすことができる。
【００１５】
請求項３に記載された発明によれば、請求項２に記載された発明と同様の効果が得られるとともに、洗浄後に供給管を通じて水を供給することで、ガス圧測定器、供給管及び分岐管のすすぎを自動的に行うことができ、作業効率が良い。
【発明を実施するための最良の形態】
【００１６】
以下に、添付図面を参照して、本発明の実施の形態を詳細に説明する。図１は本実施の形態に係る洗浄装置の斜視図、図２は図１に示す洗浄装置の配管図である。
【００１７】
本実施の形態に係る洗浄装置１は、携帯型のガス圧測定器３を自動的に洗浄する装置であり、移動式の台車２に洗浄液を蓄えた洗浄タンク５と、洗浄タンク５からガス圧測定器３に向けて洗浄液を搬送する供給管７と、洗浄を終えた洗浄液を洗浄タンク５内に戻す排出管９と、循環ポンプ（ポンプ）１１とを備えている。また、供給管７には水をガス圧測定器３に供給する分岐管１７をさらに備えている。分岐管１７の一端は工場内に張り巡らされた配水管３３のバルブ３５に接続するようになっている。
【００１８】
台車２は、キャスタ１５が取り付けられた底板１３と、底板１３に立設して設けられたフレーム枠１６とから構成されており、底板１３に洗浄タンク５が載置されており、フレーム枠１６の中段には循環ポンプ１１及びガス圧測定器３を設置する測定器設置台１０が設けられている。
【００１９】
また、洗浄タンク５と循環ポンプ１１との間の供給管７には第１切替バルブ１９が設けられており、分岐管１７から導入される水と、洗浄タンク５から導入される洗浄液との切替えができるようになっている。同様に分岐管１７にも第２切替バルブ２１が設けられており、水と洗浄液との切替えができるようになっている。
【００２０】
フレーム枠１６の上段には制御盤２３が設けられており、制御盤２３には電源スイッチ２５と、運転時間の設定を行うタイマ（タイマ装置）２７とを備えており、制御盤２３は循環ポンプ１１に接続されている。また、制御盤２３には通電時（電源が入った状態）に点灯する電源ランプ３１と、循環ポンプ１１の運転時に点灯する運転ランプ２９が設けられている。
【００２１】
次に、上記した構成に基づき、本実施の形態の作用を説明する。ガス圧測定器３の洗浄を行う場合には、所定の位置に台車２を移動させた後、電源コード２０をコンセントに差し込み、分岐管１７の一端を工場内に張り巡らされた配水管３３のバルブ３５に接続する。
【００２２】
そして、台車２の測定器設置台１０の上にガス圧測定器３を載せ、ガス圧測定器３のカラム側（入口側）に供給管７の先端部を接続する。そして、制御盤２３の電源スイッチ２５を入れると循環ポンプ１１が駆動し、分岐管１７から供給管７内に水が流れ込み、供給管７内の水抜きが行なわれる。
【００２３】
水抜きが終了した後、ガス圧測定器３のブロー側に排出管９の一端を取り付け、排出管９の他端を洗浄タンク５に入れる。また、第２切替バルブ２１を閉じるとともに第１切替バルブ１９を開ける。そして、タイマ２７で洗浄時間を設定した後、電源スイッチ２５を入れることで、洗浄液が洗浄タンク５から供給管７を通ってガス圧測定器３内に流れ込み、排出管９を通って洗浄タンク５に戻される。洗浄タンク５に戻った洗浄液は、再び供給管７、ガス圧測定器３に送られる。このように、洗浄液が循環することで、ガス圧測定器３の洗浄が行なわれる。そして、タイマ２７で設定した所定時間が経過した後に循環ポンプ１１は自動的に停止する。
【００２４】
その後、第１切替バルブ１９を閉め、第２切替バルブ２１を開いて、循環ポンプ１１を駆動させることで、分岐管１７から供給管７内に水が送り込まれ、供給管７、ガス圧測定器３及び排出管９のすすぎが行なわれる。
【００２５】
洗浄タンク５、供給管７及び排出管９は台車２の上にまとめて載せられているので、任意の場所に台車２を移動することができ、携帯型のガス圧測定器３を必要に応じて随時洗浄できる。
【００２６】
また、ガス圧測定器３の洗浄を自動的に行なうので、個人差による洗浄のばらつきを抑えることができる。
【００２７】
任意に洗浄時間を設定できるので、ガス圧測定器３の汚れに応じて洗浄時間を設定することで、ガス圧測定器３の汚れを確実に落とすことができる。
【００２８】
洗浄後に水を供給することで、ガス圧測定器３、供給管７及び分岐管９のすすぎを自動的に行うことができ、作業効率が良い。
【００２９】
本発明は、上述した実施の形態に限らず、本発明の要旨を逸脱しない範囲で種々変形可能である。
【００３０】
上述の実施の形態では、第１切替バルブ１９および第２切替バルブ２１の開閉を手動により行なうようにしているが、自動的に切替えを行うような構成であっても良い。
【図面の簡単な説明】
【００３１】
【図１】本実施の形態に係る洗浄装置の斜視図である。
【図２】図１に示す洗浄装置の配管図である。
【符号の説明】
【００３２】
１      洗浄装置
２      台車
３      ガス圧測定器
５      洗浄タンク
７      供給管
９      排出管
１１    循環ポンプ（ポンプ）
２７    タイマ（タイマ装置）
【図１】
2006007051.tif 000003
【図２】
2006007051.tif 000004